(57)【要約】【課題】取り付けが簡易かつ安価な、コンテンツ制御機能付きエレベーターかご内乗員向け表示装置を提供すること。【解決手段】表示装置１００は、支持部材１０２などによって情報処理装置１０１を把持する。情報処理装置１０１は、撮像部１０４、映像解析部７０１、乗員解析データ保管部７０２、通信部７０３ａ、コンテンツ保管部７０４、コンテンツ制御部７０５、表示部１０３を備えている。映像解析部７０１は、撮像部１０４で撮影した映像データを解析し、コンテンツ制御部７０５は、コンテンツ保管部７０４から１つのコンテンツを選択し、表示部１０３に表示させる。【選択図】図１０
2019199314.tif 000002
【特許請求の範囲】
【請求項１】
エレベーターかご内の壁面に取付け可能であって、コンテンツを表示する表示部と、
前記表示部と同一面に設けられた撮像部と、前記撮像部で撮像した前記かご内の乗員の映像データを解析する映像解析部と、前記映像解析部で解析された乗員解析データを保管する乗員解析データ保管部と、前記コンテンツをダウンロードする通信部と、前記コンテンツを保管するコンテンツ保管部と、前記乗員解析データにおける前記乗員の属性又は状況に応じてコンテンツ保管部よりコンテンツを選択して前記表示部において表示させるコンテンツ制御部とを備える表示装置。
【請求項２】
前記撮像部で撮像した前記かご内の前記乗員の前記映像データを保管する映像データ保管部を備えることを特徴とする請求項１記載の表示装置。
【請求項３】
前記映像解析部は、前記乗員の人数、性別、年齢、表情又は前記乗員が前記表示部を見ているかどうかの少なくとも一つを解析することを特徴とする請求項１又は２記載の表示装置。
【請求項４】
前記撮像部で撮影された映像の中心点に相当するエレベーターかご内の箇所と前記撮像部を結んだ直線の、表示部の垂線に対する角度が３０°以内であることを特徴とする請求項１〜３のいずれかに記載の表示装置。
【請求項５】
前記コンテンツは、広告情報又は管理情報であることを特徴とする請求項１〜４のいずれかに記載の表示装置。
【請求項６】
前記通信部は、前記映像データを外部に無線送信することを特徴とする請求項１〜５のいずれかに記載の表示装置。
【請求項７】
前記表示装置は、前記壁面に磁力を用いて固定することを特徴とする請求項１〜６のいずれかに記載の表示装置。
【請求項８】
前記撮像部は、前記かご内の照度を測定し、所定の照度以上になった場合に、前記画像を表示することを特徴とする請求項１〜７のいずれかに記載の表示装置。
【発明の詳細な説明】
【技術分野】
【０００１】
この発明は、エレベーターかご内の乗員の属性又は状況をカメラで解析して、予めダウンロードされたコンテンツから最も適切なコンテンツを選択して乗員に対して表示する、簡易かつ安価にエレベーターかご内の壁面に設置可能な表示装置に関する。
また、この発明は、上記と同時に、エレベーターかご内の乗員の様子を撮影して防犯目的に資する表示装置に関する。
【背景技術】
【０００２】
従来から、エレベーターかご内の乗員の状況に応じて、乗員にたいして表示する内容を制御すること自体は知られていた。すなわち、エレベーターかご内において、通常は広告映像を表示する表示装置が、監視カメラが撮影するかご内映像を解析した結果、防犯の必要性が高い状況になった時にのみ防犯用の情報を表示する表示装置は知られていた。
【０００３】
特許文献１、２は、エレベーターかご内の搭乗者が男性のみである場合には、広告映像を表示するが、女性もしくは子供が一人で他の男性搭乗者と一緒に搭乗する場合には、監視カメラで撮影したエレベーターかご内映像などの防犯映像を表示する表示装置に関する発明である。
【０００４】
他にも、従来から、エレベーターかご内の乗員の状況をカメラで解析し、解析結果に応じて適切な広告映像の内容を表示する広告装置は知られていた。
【０００５】
特許文献３は、カメラでかご内の乗員がディスプレイに視線を向けているかを解析して視聴率を計算し、視聴率に応じてどのコンテンツを表示するかを制御する広告装置に関する発明である。
【先行技術文献】
【特許文献】
【０００６】
【特許文献１】特開２００７−２６１７２２号公報
【特許文献２】特開２０１３−０３５６９０号公報
【特許文献３】特開２０１７−２１８２５７号公報
【発明の概要】
【発明が解決しようとする課題】
【０００７】
しかしながら、上述した従来技術には、以下のような課題があった。
【０００８】
特許文献１〜３の技術は、いずれもエレベーターかご内の壁面に予め備え付けられるものであり、表示画面や防犯カメラを備えているのは、高価なエレベーターに限られる。そして、そのような高価なエレベーターは、全国各地に設置されているエレベーターのうちのごく少数に過ぎなかった。
【０００９】
また、防犯カメラを備えているエレベーターであっても、エレベーターかご内の乗員の映像を解析して乗員に対して適切なコンテンツを表示するためには、乗員が防犯カメラの方向を向いている状況で乗員の顔を正面から撮影して解析することが好ましいが、防犯カメラの設置位置については、特段の工夫がなされておらず、乗員の顔を必ずしも正面から撮影できないという問題があった。
【００１０】
本発明は、上述した従来技術の課題を解決するため、取り付けが簡易かつ安価で、エレベーターかご内の乗員の顔などをより確実に撮影して解析することにより、乗員に適切なコンテンツを配信することを目的とする。
また、本発明は、エレベーター内での犯罪の発生を抑止することができる表示装置を提供することを目的とする。
【課題を解決するための手段】
【００１１】
上述した課題を解決し、目的を達成するため、本発明の一態様に係る表示装置は、エレベーターかご内の壁面に取付け可能であって、
コンテンツを表示する表示部と、
前記表示部と同一面に設けられた撮像部と、
前記撮像部で撮像した前記かご内の乗員の映像データを解析する映像解析部と、
前記映像解析部で解析された乗員解析データを保管する乗員解析データ保管部と、
前記コンテンツをダウンロードする通信部と、
前記コンテンツを保管するコンテンツ保管部と、
前記乗員解析データにおける前記乗員の属性又は状況に応じてコンテンツ保管部よりコンテンツを選択して前記表示部において表示させるコンテンツ制御部と
を備えている。
【００１２】
また、本発明の一態様に係る表示装置は、上記の発明において、前記撮像部で撮像した前記かご内の前記乗員の前記映像データを保管する映像データ保管部を備えることを特徴とする。
【００１３】
また、本発明の一態様に係る表示装置は、上記の発明において、前記映像解析部が、前記乗員の人数、性別、年齢、表情又は前記乗員が前記表示部を見ているかどうかの少なくとも一つを解析することを特徴とする。
【００１４】
また、本発明の一態様に係る表示装置は、上記の発明において、前記撮像部で撮影された映像の中心点に相当するエレベーターかご内の箇所と前記撮像部を結んだ直線の、表示部の垂線に対する角度が３０°以内であることを特徴とする。
【００１５】
また、本発明の一態様に係る表示装置は、上記の発明において、前記コンテンツが、広告情報又は管理情報であることを特徴とする。
【００１６】
また、本発明の一態様に係る表示装置は、上記の発明において、前記通信部が、前記映像データを外部に無線送信することを特徴とする。
【００１７】
また、本発明の一態様に係る表示装置は、上記の発明において、前記表示装置は、前記壁面に磁力を用いて固定することを特徴とする。
【００１８】
また、本発明の一態様に係る表示装置は、上記の発明において、前記かご内の照度を測定し、所定の照度以上になった場合に、前記画像を表示することを特徴とする。
【発明の効果】
【００１９】
本発明にかかる表示装置によれば、簡易かつ安価に、エレベーターかご内の乗員の属性または状況に応じて適切なコンテンツを配信できる。また、本発明にかかる表示装置の別の実施形態によれば、上記効果に加えて、エレベーターかご内の防犯にも資することができる。
【図面の簡単な説明】
【００２０】
【図１】この発明にかかる実施の形態の表示装置の外観の一例（その１）を示す説明図である。
【図２】この発明にかかる実施の形態の表示装置の外観の一例（その２）を示す説明図である。
【図３】この発明にかかる実施の形態の表示装置の外観の一例（その３）を示す説明図である。
【図４】この発明にかかる実施の形態の表示装置の外観の一例（その４）を示す説明図である。
【図５】この発明にかかる実施の形態の表示装置の外観の一例（その５）を示す説明図である。
【図６】この発明にかかる実施の形態の表示装置を構成する情報処理装置のハードウエア構成の一例を示す説明図である。
【図７】この発明にかかる実施の形態の表示装置の設置の一例を示す説明図である。
【図８】この発明にかかる実施の形態の表示装置の設置の別の一例を示す説明図である。
【図９】撮像部が撮影した映像の一例を示す説明図である。
【図１０】この発明にかかる実施の形態の表示装置の機能構成の一例を示すブロック図である。
【図１１】この発明にかかる実施の形態の表示装置の機能構成の別の一例を示すブロック図である。
【図１２】この発明にかかる実施の形態の表示装置が実行する処理の手順の一例を示すフローチャートである。
【図１３】この発明にかかる実施の形態の表示装置が実行する「コンテンツ保管部から一つのコンテンツを選択する」処理の手順の一例を示すフローチャートである。
【図１４】乗員解析データ保管部が記憶しているデータ構成の一例を示す図である。
【図１５】コンテンツ保管部が記憶しているデータ構成の一例を示す図である。
【図１６】この発明にかかる実施の形態の表示装置の機能構成の更に別の一例を示すブロック図である。
【発明を実施するための形態】
【００２１】
以下、本発明の実施の形態について、図面を用いて説明する。なお、全ての図面において、同様な構成要素には同様の符号を付し、適宜説明を省略する。
【００２２】
（表示装置１００の外観）
まず、この発明にかかる実施の形態の表示装置の外観について説明する。図１〜図５は、この発明にかかる実施の形態の表示装置の外観の一例を示す説明図である。
【００２３】
図１において、符号１００は、エレベーターのかご内に設置され、エレベーターの乗員に対して画像を表示する表示装置である。表示装置１００は、情報処理装置１０１と、情報処理装置１０１を支持する支持部材１０２と、から構成される。また、図１において、符号１０３は、表示装置１００の表示部（ディスプレイ）を示しており、符号１０４は、表示装置１００の撮像部（カメラ）を示している。
【００２４】
図１は、表示装置１００の全体の外観を示している。そして、図２は、図１の矢印Ａの方向から見た表示装置１００の外観である。また、図３は、図１の矢印Ｂの方向から見た表示装置１００の外観であり、図４は、図１の矢印Ｃの方向から見た表示装置１００の外観であり、図５は、図１の矢印Ｄの方向から見た表示装置１００の外観である。図１〜図５において、同じ構成部には同じ符号を付している。
【００２５】
図１〜図５のうち、図１および図２における表示装置１００は、支持部材１０２が、エレベーターのかご内の壁面に装着する形態を示しており、図３〜図５における表示装置１００は、支持部材１０２が、エレベーターのかご内のコーナーに装着する形態を示している。その形態の違いについての詳細は、後述する。
【００２６】
（支持部材１０２の構成）
図１および図２からわかるように、支持部材１０２は、前面部１０５、上端部１０６、壁面接着部１０７の３つの部材から構成されており、たとえば、１つの板状部材を折り曲げることによって、前面部１０５、上端部１０６、壁面接着部１０７の３つの部材としている。なお、図示は省略するが、前面部１０５、上端部１０６、壁面接着部１０７の３つの部材は一つの部材から構成されていなくてもよく、また、それぞれの別々の部材を、たとえばネジ止めなどによって結合することで、支持部材１０２を構成するようにしてもよい。
【００２７】
支持部材１０２の前面部１０５の面と、壁面接着部１０７の面とは、所定の角度（「角度Ｇ」）をなすように折り曲げられている。所定の角度（「角度Ｇ」）は、具体的には、以下のような条件によって定められる。すなわち、エレベーターの乗員の視線の高さよりも上側になるように設置された表示装置１００の表示部１０３を、乗員が顔を上げて見る際に見やすい角度であること、及び撮像部１０４が乗員の顔を正面から撮影しやすい角度であることを条件としており、この条件を満たすように「角度Ｇ」を設定することが望ましい。
【００２８】
また、「角度Ｇ」は、乗員が、かご内のどの位置に立っていても、表示部１０３が見やすいような角度が望ましい。したがって、より具体的には、「角度Ｇ」は１０°から８０°程度であることが望ましい。ただし、「角度Ｇ」は、この範囲に限定されるものではない。特に、「角度Ｇ」は０°であっても良い。
【００２９】
また、図示は省略するが、「角度Ｇ」を可変にできるように構成してもよい。より具体的には、前面部１０５と壁面接着部１０７をそれぞれ別の部材として、それぞれの部材を接合部によって接合する。その接合部による接合の際に、両者が任意の角度となるように調整することによって、「角度Ｇ」を可変にすることができる。
【００３０】
このように、前面部１０５の面と、壁面接着部１０７の面とは、所定の角度（「角度Ｇ」）をなすようにすることによって、支持部材１０２は、表示部１０３が乗員側に向くように、かつ、乗員の視線の高さよりも上側になるように、前記エレベーターのかご内の壁面に設置され、支持部材１０２が設置された際に、表示部１０３の上辺（上端部１０６）が壁面から離間するように、当該表示部１０３を前記壁面に対して所定の角度（「角度Ｇ」）で傾斜させるようにすることができる。
【００３１】
なお、表示装置１００の設置位置に関する詳細については、図６〜図８を用いて、後述する。
【００３２】
また、支持部材１０２は、図１および図４に示すように、情報処理装置止め部１０８を有している。情報処理装置止め部１０８は、情報処理装置１０１が支持部材１０２から脱落しないように、情報処理装置１０１を押さえる部材である。
【００３３】
支持部材１０２の材質は、具体的には、アルミニウムなどの金属であってもよく、また、プラスチックなどの非金属であってもよい。また、前面部１０５、上端部１０６、壁面接着部１０７ごと、それぞれ別の材質を用いるようにしてもよい。
【００３４】
また、図２〜図５に示すように、支持部材１０２は、情報処理装置保持部２０１を有している。情報処理装置保持部２０１は、前面部１０５と、壁面接着部１０７ではさまれた間に設けられており、その一端には、情報処理装置止め部１０８が設けられている。情報処理装置１０１は、前面部１０５と、上端部１０６と、情報処理装置保持部２０１とによって形成された空間に収納される。そして、情報処理装置保持部２０１は、前面部１０５、上端部１０６、情報処理装置止め部１０８と相まって、情報処理装置１０１を確実に保持することができる。
【００３５】
（支持部材１０２の前面部１０５および上端部１０６について）
図３に示すように、支持部材１０２の前面部１０５には、表示部用孔３０２と、撮像部用孔３０３が設けられている。また、図３は、情報処理装置１０１が、支持部材１０２に装着される前の状態を示している。情報処理装置１０１には、表示部１０３と、撮像部１０４とが設けられている。
【００３６】
図３に示すように、表示部１０３と撮像部１０４とは、情報処理装置１０１の同一面に設けられている。ただし、図３は、この発明にかかる実施の形態の表示装置の外観の一例にすぎず、表示部１０３と撮像部１０４とは、必ずしも完全同一平面上に設けられる必要はない。撮像部１０４で撮影された映像の中心点に相当するエレベーターかご内の箇所と撮像部１０４そのものを結んだ直線の、表示部１０３の垂線に対する角度が３０°以内であれば、乗員の顔を正面から撮影して解析することが可能となる。同角度は、好ましくは１０°以内である。
【００３７】
図３の矢印に示す方向に、情報処理装置１０１をスライドさせ、前面部１０５と、上端部１０６と、情報処理装置保持部２０１との間に設けられた空間に挿入することによって、情報処理装置１０１を支持部材１０２に装着することができる。
【００３８】
そして、支持部材１０２の前面部１０５の表示部用孔３０２に情報処理装置１０１の表示部１０３を合わせる。また、支持部材１０２の前面部１０５の撮像部用孔３０３に情報処理装置１０１の撮像部１０４を合わせる。もともと、前面部１０５において、表示部用孔３０２および撮像部用孔３０３は、情報処理装置１０１を装着した際に、表示部１０３および撮像部１０４の位置と一致するように設けられている。
表示部１０３と撮像部１０４とが、完全同一平面上にない場合には、その形状に適合した撮像部用孔３０３の形状を設計することができる。
【００３９】
図１〜図５からもわかるように、上端部１０６は、情報処理装置１０１をスライドして装着する際のガイドとしての役割と、装着された情報処理装置１０１が、上側から飛び出すのを防止する防止部材の役割を果たしている。また、情報処理装置１０１が、乗員に対して見えないようにするための目隠しとしての役割や、物の落下などの外部（特に上方）からの衝撃から情報処理装置１０１を保護する役割も果たしている。
【００４０】
情報処理装置１０１を支持部材１０２に装着後、情報処理装置止め部１０８によって、情報処理装置１０１の移動を固定する。これによって、図１に示したような、表示装置１００が完成する。図４に示すように、情報処理装置止め部１０８は可動式の構造となっており、情報処理装置止め部１０８による固定を解除することによって、情報処理装置１０１は、容易に支持部材１０２から取り外すことが可能となる。
【００４１】
（壁面接着部１０７について）
図２に示すように、壁面接着部１０７の前面部１０５とは反対側の表面には、磁石部材２０２が設けられている。磁石部材２０２は、たとえば、接着剤などを用いて壁面接着部１０７に貼り付けることにより、壁面接着部１０７の表面に設けることができる。磁石部材２０２は、図２に示すように、壁面接着部１０７の表面のほぼ全面に設けるようにしてもよく、また、図示を省略するが、壁面接着部１０７の表面の一部（たとえば周辺部や中央部）にのみ設けるようにしてもよい。
【００４２】
表示装置１００をエレベーターのかご内の壁面に対して磁力を用いて固定（接着）するのは、ネジ止めなどの一般的な設置作業と比較して、表示装置１００の設置作業をより容易にするためである。また、一般的な撤去作業と比較して、表示装置１００の撤去作業をより容易にするためである。さらには、撤去に際しての、壁面の修復作業をより簡易にするためである。ネジ止めなどの一般的な設置方法により表示装置１００を設置した場合は、壁面に孔や傷（設置痕）が生じてしまうため、その修復のための時間や費用がかかってしまう。磁力を用いて固定することによって、これらの時間や費用がかかることを防止することができる。
【００４３】
また、表示装置１００をエレベーターのかご内の壁面に対して磁力を用いて固定（接着）することによって、表示装置１００の設置位置の自由度の幅が大きくなる。一般的に、エレベーターの種類や、かご内の状況などは多種多様である。磁力を用いて固定することによって、そのような状況において、表示装置１００を設置に際して支障のない位置に容易に設置することができる。
【００４４】
また、磁力を用いて固定（接着）することによって、設置後の表示装置１００の設置位置の移動が容易である。したがって、一旦、表示装置１００を設置したが、表示装置１００が見えづらいなどの理由によって、別の位置へ容易に移動させることができる。また、表示装置１００を容易に移動させることができることから、定期的に、かご内において、表示装置１００の設置位置を移動させることで、かご内の雰囲気を変えることができ、乗員に対して、新鮮な感覚を与えることもできる。
【００４５】
また、図３において、符号３００ａおよび３００ｂは、接着補助部であり、壁面接着部１０７に接合される。壁面接着部１０７と接着補助部３００ａおよび３００ｂの接合は、図示は省略するが、ネジ止めなどでもよく、また、その他（磁力など）の方法であってもよい。
【００４６】
接着補助部３００ａの一辺と接着補助部３００ｂの一辺とが最も近づく点（図４および図５に示す「Ｘ」）において、両者が形成する角度は略９０°である。これによって、エレベーターのかごのいずれかの四隅（コーナー）にこのＸ点を配置させるように、そのコーナーをはさんだ壁面に、接着補助部３００ａおよび３００ｂを接触させることができる。そのために、接着補助部３００ａおよび３００ｂの表面には、それぞれ、磁石部材５００ａ（図５参照）、磁石部材４００ｂ（図４参照）が設けられている。
【００４７】
接着補助部３００ａおよび３００ｂは、壁面接着部１０７に容易に取り外し可能に接合しているため、表示装置１００を設置するエレベーターを実際の現場で確認して、表示装置１００を接着する位置（壁面にするか、あるいは、四隅（コーナー）にするか）を決め、それに応じて、接着補助部３００ａおよび３００ｂを使用するか否かを決めることができる。このように、接着補助部３００ａおよび３００ｂを用いることによって、支持部材１０２自体を取り替えることなく、表示装置１００の設置位置の自由度の幅を広げることができる。
【００４８】
また、符号３０１は、蓋部であり、壁面接着部１０７と、接着補助部３００ａおよび３００ｂとによって形成される直角二等辺三角形の上側に嵌合する。蓋部３０１を嵌合した後、図示を省略するが、ネジ止めなどによって、壁面接着部１０７と、接着補助部３００ａおよび３００ｂで固定する。これによって、壁面接着部１０７と、接着補助部３００ａおよび３００ｂとの接合を補強して強度を上げることができる。それにより、表示装置１００をかごのコーナーにより安定して固定（接着）することができる。
【００４９】
（情報処理装置１０１のハードウエア構成）
図６は、この発明にかかる実施の形態の表示装置を構成する情報処理装置のハードウエア構成の一例を示すブロック図である。図６において、情報処理装置１０１は、ＣＰＵ６０１と、メモリ６０２と、各種センサ６０３と、ＧＰＳ（Ｇｌｏｂａｌ  Ｐｏｓｉｔｉｏｎｉｎｇ  Ｓｙｓｔｅｍ）受信機６０４と、カメラ６０５と、ディスプレイ６０６と、スピーカ６０７、入出力デバイス６０８と、通信インタフェース６０９と、を備える。
【００５０】
ＣＰＵ６０１は、メモリ６０２に記憶されたプログラムを実行することによって、表示装置１００の装置全体の制御をつかさどる。メモリ６０２は、ＣＰＵ６０１が実行するプログラムを記憶するととともに、取得した各種情報を記憶する。メモリ６０２は、ハードディスクメモリのほか、ＩＣメモリ、ＳＳＤ（Ｓｏｌｉｄ  Ｓｔａｔｅ  Ｄｒｉｖｅ）などであってもよい。
【００５１】
各種センサ６０３は、照度センサを含む。照度センサは、光を電気信号に変換する、フォトトランジスタや、フォトダイオードを用いて、照らされる面の明るさを数値化することで、単位面積あたりの光束を測定する。これにより、照度センサの周辺の照度の値を測定することができる。各種センサ６０３は、照度センサのほか、加速度センサ、振動センサ、傾きセンサ、温度センサ、人感センサ（人の動きなどによって、人がいることを検知するセンサ）などのセンサを含む。
【００５２】
ＧＰＳ受信機６０４は、３つ乃至５つのＧＰＳ衛星からの電波を受信し、ＧＰＳ衛星との幾何学的位置を求めるものであり、地球上どこでも計測可能である。電波としては、１，５７５．４２ＭＨｚの搬送波で、Ｃ／Ａ（Ｃｏａｒｓｅ  ａｎｄ  Ａｃｃｅｓｓ）コードおよび航法メッセージが載っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。すなわち、ＧＰＳ衛星からの電波を受信してＧＰＳ測位データを出力する。
【００５３】
ＧＰＳ受信機６０４により、表示装置１００の現在位置を把握することができる。したがって、表示装置１００が持ち去られるなどによって、その設置位置が変わった場合であっても、その所在位置がわかるため、表示装置１００の盗難防止の役割を果たすことができる。
【００５４】
カメラ６０５は、撮像素子を備え、撮像素子がレンズを通して受光した光を電気信号に変換することによって、画像情報を取得する。カメラは、静止画を撮影するものであってもよく、動画を撮影するものであってもよい。
【００５５】
ディスプレイ６０６は、電力量その他の各種情報を表示する液晶表示器（ＬＣＤ：Ｌｉｑｕｉｄ  Ｃｒｙｓｔａｌ  Ｄｉｓｐｌａｙ）、有機ＥＬ（Ｅｌｅｃｔｒｏ−Ｌｕｍｉｎｅｓｃｅｎｃｅ）ディスプレイなどによって実現される。ディスプレイ６０６には、算出した最新の位置情報を表示するようにしてもよい。
【００５６】
スピーカ６０７は、音声信号である電気信号によって振動板を振動させて音を発生させる。また、スピーカ６０７は、音声信号を出力する出力端子であってもよく、当該出力端子に外部スピーカを接続して、音を発生させるようにしてもよい。スピーカ６０７により、表示装置１００の表示部１０３（ディスプレイ６０６）に表示される画像と連動した音声あるいは画像とは連動しない音声を発生することができる。
【００５７】
入出力デバイス６０８は、文字、数字、各種指示などの入力のためのキーまたはボタンなどを備え、情報処理装置１０１に対して、操作の指示やデータの入力をおこなうことができる。入出力デバイス６０８は、具体的には、たとえば、入力操作内容を指定する操作キーやテンキーなどを表示するディスプレイ６０６および当該ディスプレイ６０６に積層されたタッチパネルによって、その機能を実現することができる。この場合、液晶ディスプレイの表示内容を変更することにより、複数のキーを設けることなく、タッチパネルを介して複数種類の入力操作をおこなうことができる。
【００５８】
また、入出力デバイス６０８は、情報処理装置１０１に設けられた機械的なスイッチなどによって、その機能を実現するようにしてもよい。また、入出力デバイス６０８は、情報処理装置１０１に設けられた入力端子に各種装置を接続して、当該各種装置からの情報の入力であってもよい。また、入出力デバイス６０８は、情報処理装置１０１に接続可能な外部記録媒体（外付けハードディスク、ＩＣメモリ、ＵＳＢメモリ、ＳＳＤなど）によって、その機能を実現するようにしてもよい。
【００５９】
通信インタフェース６０９は、通信回線を通じて情報処理装置１０１と接続されるインタフェースである。通信インタフェース６０９には、たとえば、Ｗｉ−Ｆｉ（登録商標）による無線インタフェースであり、インターネットなどのネットワーク６５０に接続される。また、通信インタフェース６０９は、携帯電話回線、ＰＨＳ、Ｂｌｕｅｔｏｏｔｈ（登録商標）などの無線通信のインタフェースであってもよく、また、モデムやＬＡＮアダプタなどの有線通信のインタフェースを採用することができる。そして、通信インタフェース６０９は、ネットワークと内部のインタフェースをつかさどり、外部装置からのデータの入力および外部装置へのデータの出力を制御する。
【００６０】
（表示装置の設置例）
図７は、この発明にかかる実施の形態の表示装置の設置の一例を示す説明図である。図７は、エレベーターのかご１１００内の様子を示しており、図７において、エレベーターのかご１１００内には、乗員が出入りする出入り口部分の扉１１０１と、かごに搭乗した乗員が操作する操作盤１１０２と、が備えられている。
【００６１】
表示装置１００は、図７においては、扉１１０１および操作盤１１０２が設けられている壁面と同一の壁面に設けられている。これは、通常、かご内の乗員が、扉１１０１側の面を向いて立つことが一般的であることを想定している。
【００６２】
さらに、表示装置１００は、扉１１０１よりも向かって左側であって、扉１１０１の上端よりも上側に設置されていることがわかる。これにより、乗員の頭の高さよりも上側に設置されているので、表示装置１００が乗員により容易に触れることができない。したがって、乗員により表示装置１００が取り外されたり、表示装置１００を不正に操作されたりすることを防止することができる。
【００６３】
このように、扉１１０１と同一の壁面の扉１１０１の上端よりも上側に設置することによって、エレベーターのかご１１００内に乗り込んだ乗員が、表示装置１００の表示画面を認識することができる。
【００６４】
図８は、この発明にかかる実施の形態の表示装置の設置の別の一例を示す説明図である。図８において、表示装置１００は、エレベーターのかご内の扉および操作盤がある壁面と、その壁面の向かって右側面との角（コーナー）に設けられていることがわかる。
【００６５】
このように、接着補助部３００ａ、３００ｂを用いて、表示装置１００をコーナーに設置することによって、かご内の空間をより有効に活用することができる。また、表示装置１００をコーナーに設置することによって、かご内の乗員がどの位置に立っていても、表示部１０３を見やすくすることができる。
【００６６】
図９は、図７の設置例において、撮像部が撮影した撮像情報の一例を示す説明図である。図７に示すように、表示部１０３と同一面に設けられた撮像部１０４が撮影する画像は、エレベーターのかご１１００内を上側から撮影していることがわかる。すなわち、現在、かご１１００内には、２名の乗員がおり、２名の乗員の首が上向きになっていることから、いずれの乗員も、表示装置１００の表示部１０３に表示されている画像を見ているということがわかる。
【００６７】
（情報処理装置１０１の機能的構成）
図１０は、この発明にかかる実施の形態の表示装置の機能構成の一例を示すブロック図である。図１０において、情報処理装置１０１は、撮像部１０４と、映像解析部７０１と、乗員解析データ保管部７０２と、通信部７０３ａと、コンテンツ保管部７０４と、コンテンツ制御部７０５と、表示部１０３と、を含む構成となっている。
【００６８】
撮像部１０４は、表示部１０３と同一面に設けられているため、かご内を撮影すると、表示部１０３を見ている乗員の顔を撮影することができる（図９を参照）。乗員は、かごに乗り込んだ際に、表示装置１００の表示部１０３に画像が表示されていると、無意識に表示部１０３を見る傾向にある。従って、撮像部１０４は、より確実に、乗員の顔を正面から撮影することができる。
【００６９】
この点、エレベーターかご内に設置されている従来のカメラは、防犯目的で設置されているものの、乗員がカメラの方向を向くということがないため、乗員の顔を正面から撮影することが困難であった。
【００７０】
映像解析部７０１は、撮像部１０４で撮影したエレベーターのかご内の乗員の映像データを解析する。映像解析部７０１は、一例として、特徴量の抽出処理を行う。ここで抽出される特徴量は、人の顔を個別に識別するための特徴量を含んでいる。
特徴量の具体例として、乗員の人数、性別、年齢、表情、及び乗員が表示部１０３を見ているかどうかなどが挙げられるが、特にこれに限られない。
【００７１】
乗員解析データ保管部７０２は、映像解析部７０１で解析されたエレベーターのかご内に搭乗している乗員の顔などを解析したデータ（以下、「乗員解析データ」）を所定の記憶領域に記憶する。乗員解析データ保管部７０２は、具体的には、例えば、図６に示したＣＰＵ６０１が、メモリ６０２などに記憶されたプログラムを実行し、メモリ６０２などによって、その機能を実現することができる。また、入出力デバイス６０８として外部記録媒体などを採用した場合も同様に、その機能を実現することができる。
【００７２】
乗員解析データ保管部７０２には、通信部７０３ｂが接続されていても良い。この場合、乗員解析データ保管部７０２に保管された乗員解析データは、適宜通信部７０３ｂから外部装置に出力される。
【００７３】
図１４は、乗員解析データ保管部７０２が保管している情報のデータ構成の一例をテーブル形式で示す図である。本図に示す例において、特定の時刻（ある特定の時刻から別の特定の時刻までの時間の幅であっても良い）における、エレベーターのかご内の乗員の、人数、性別、年代、表情、視聴の有無（乗員が表示部を見ているかどうか）に関する情報が保管されている。
【００７４】
通信部７０３ａは、通信インタフェース６０９を介して、外部装置からコンテンツをダウンロードしてコンテンツ保管部７０４に送る他、必要に応じて乗員解析データ保管部７０２に保管された乗員解析データや映像データ保管部に保管された映像データを外部装置に出力することができる。
【００７５】
表示装置１００は、エレベーターに設置されることから、必ずしも常時通信状況が良いとは限らない。例えば、エレベーター稼働中には、フロア間を移動する場合があるが、そのような場合は、一般的に通信状況が悪くなると考えられる。
通信部７０３ａがコンテンツをダウンロードしている最中に通信状況が悪くなった場合は、コンテンツデータが細切れになることも想定される。そのような場合は、通信部７０３ａは、細切れのコンテンツデータを公知の方法で適宜つなぎ合わせて完全なコンテンツとした上で、コンテンツ保管部７０４にコンテンツを保管することができる。
つなぎ合わされたコンテンツが完全なものかどうかは、例えば、次の方法で確認することができる。すなわち、コンテンツデータのヘッダー部分に、コンテンツのデータ容量に関する情報を挿入しておき、つなぎ合わされたコンテンツの容量が、そのデータ容量と一致するかを照合することによって、完全なコンテンツとなっているかどうかを確認することができる。もし、完全なコンテンツとなっていない場合には、その不完全なコンテンツを一旦削除した上で、改めてコンテンツをダウンロードすることができる。
【００７６】
コンテンツ保管部７０４は、通信部７０３ａよりダウンロードしたコンテンツを保管する。
【００７７】
コンテンツは、広告情報または管理情報であってもよい。広告情報であれば、広告主からの広告料を徴収することができる。広告料の徴収方法の一例としては、コンテンツを出力した回数、時間帯の他、乗員が表示部１０３を見ていたかどうかや、乗員の表情などの乗員解析データに基づいて広告料を決定する方法が考えられる。
管理情報は、具体的には、ビルのメンテナンスや停電情報、その他の告知であってもよい。管理情報を表示装置１００に表示させることで、エレベーターのかご内における貼り紙などによる告知と比較して、貼り出す手間や、それを撤去する手間を省略することができる。
【００７８】
表示装置１０１は、ディスプレイ６０６とスピーカ６０７を備えるため、コンテンツは、静止画、動画、音楽を組み合わせたものを用いることができる。
【００７９】
コンテンツ保管部７０４に保管されるコンテンツには、乗員解析データ結果がどういう状況のときに選択されるかの紐付け情報も含まれている。
紐付け情報とは、コンテンツに付随する情報であって、基本的に乗員解析データ項目に対応するものである。言い換えると、乗員解析データ結果がどういう状況のときに、そのコンテンツが該当すると判断するかに関する情報である。
【００８０】
図１５は、コンテンツ保管部７０４が保管している情報のデータ構成の一例をテーブル形式で示す図である。本図に示す例において、それぞれのコンテンツは、性別、年齢、表情、視聴の有無という乗員解析データ結果と紐付けられている。なお、乗員解析データは、これらの項目に限定されない。
【００８１】
コンテンツ制御部７０５は、乗員解析データと紐付け情報を元に、どのコンテンツを表示部１０３に表示するか制御する。上述の通り、コンテンツは紐付け情報を含んでいるため、コンテンツ制御部７０５は、乗員解析データが与えられたときに、コンテンツの紐付け情報から、どのコンテンツが該当するかを判断することができる。対応するコンテンツが複数ある場合には、そのうち一つのコンテンツを選択する。
【００８２】
表示部１０３は、コンテンツ制御部７０５で選択されたコンテンツをエレベーターのかご内の乗員に対して表示する。
【００８３】
図１１は、この発明にかかる実施の形態の表示装置の機能構成の別の一例を示すブロック図である。図１１において、情報処理装置１０１は、図１０で示した構成に加えて、映像データ保管部７０６を含む構成になっている。
【００８４】
映像データ保管部７０６は、撮像部１０４で撮影された映像データを保管する。映像データは、生データをそのまま保管してもよいし、または、生データを圧縮処理して適宜圧縮して保管してもよい。圧縮処理する方法としては、解像度を落としたり、コマ数を間引いたりするなど、あらゆる公知の周知技術を用いることができる。
【００８５】
映像データ保管部７０６には、通信部７０３ｃが接続されていてもよい。この場合、映像データ保管部７０６に保管された映像データは、適宜通信部７０３ｃから外部装置に出力される。
【００８６】
撮像部１０４で撮影された映像データを映像データ保管部７０６に保管することで、エレベーター内の環境改善および犯罪抑止による防犯を図ることができる。現実に犯罪が発生した場合などにおいて、作業者は、表示装置１００の設置されているエレベーターに行って、映像データ保管部７０６から映像データを出力することで、調査に用いることができる。また、映像データ保管部７０６は、外部からの指令に応じて、通信部７０３から映像データを外部装置に出力することができる。
【００８７】
撮像部１０４で撮影された映像データを映像データ保管部７０６に保管する処理は、撮像部１０４で撮影された映像データを映像解析部７０１で解析してコンテンツ制御部７０５に出力する処理と同時並行して行うことができる。この同時並行処理により、エレベーターかご内の乗員の属性または状況に応じて適切なコンテンツを配信するとともに、エレベーターかご内の防犯にも資することができる。
【００８８】
また、この発明にかかる実施の形態の表示装置の機能構成の更に別の一例として、図１０、図１１の機能構成に加えて、照度センサを設けても良い。照度センサは各種センサ６０３のうちの一つである。照度センサは、表示装置１００の全体を制御する機能部に接続される。
この照度センサは、エレベーターかご内が所定の照度以上になったときに、表示部１０３にコンテンツを表示させ、映像データ保管部７０６に映像データを保管するための処理を開始する指令を出す。エレベーターかご内が所定の照度未満の場合には、上記指令を取り消す。
一般的には、エレベーター本体の制御によって、エレベーターかご内に乗員がいないときにはかご内の照明が消灯され、乗員が搭乗する直前にかご内の照明が点灯されるといったことが行われているため、表示装置１００の稼働状況をこれに対応させることができる。かご内の照明が消灯されている場合は、乗員がいないことが明らかなので、画像を表示する必要がない。このように、画像の表示を停止することによって、無駄な電力消費を効率よく抑制することができる。
【００８９】
図１２は、本実施形態において、情報処理装置１０１が行う処理の一例を示すフローチャートである。
【００９０】
エレベーターのかご１１００に乗員が搭乗すると、撮像部１０４は、エレベーターのかご内を撮影し、その乗員の顔を含む映像データを生成し、映像解析部７０１に出力する。映像解析部７０１は、この映像データを解析して、乗員の属性又は状況を判断する（ステップＳ２０）。この際、映像解析部７０１は、乗員の人数、性別、年齢、表情、又は乗員が表示部１０３を見ているかどうかを判断しても良い。
【００９１】
乗員解析データは、コンテンツ制御部７０５に直接出力される。また、乗員解析データは、乗員解析データ保管部７０２に出力されて一旦保管され、コンテンツ制御部７０５が乗員解析データ保管部７０２に保管された乗員解析データを読み出しても良い。
【００９２】
次いで、コンテンツ制御部７０５は、コンテンツ保管部７０４に保管されているコンテンツから、乗員解析データにマッチするコンテンツを一つ選択する（ステップＳ３０）。
【００９３】
図１３は、コンテンツ制御部７０５が、コンテンツを一つ選択する処理の一例を示すフローチャートである。まず、コンテンツ制御部７０５は、コンテンツ保管部７０４からコンテンツを読み出し、乗員解析データにマッチするコンテンツを選択する。次にコンテンツ制御部７０５は、マッチするコンテンツが１つかどうかを判断する（ステップＳ３１）。マッチしたコンテンツが１つの場合（ステップＳ３１：Ｙｅｓ）、コンテンツ制御部７０５は、その１つのコンテンツを選択する（ステップＳ３３）。マッチしたコンテンツが複数の場合（ステップＳ３１：Ｎｏ）、コンテンツ制御部７０５は、ある特定の１つのコンテンツが他のコンテンツに優先するかどうかを、予めプログラムされた優先順位に基づいて判断する（ステップＳ３２）。当該特定の１つのコンテンツが他のコンテンツに優先する場合（ステップＳ３２：Ｙｅｓ）、コンテンツ制御部７０５は、その特定の１つのコンテンツを選択する（ステップＳ３３）。当該特定の１つのコンテンツが他のコンテンツに優先しない場合（ステップＳ３２：Ｎｏ）、コンテンツ制御部７０５は、別の１つのコンテンツについて、他のコンテンツに優先するかどうかを、予めプログラムされた優先順位に基づいて判断する（ステップＳ３２）。このようにして、コンテンツ制御部７０５は、コンテンツを一つ選択し、表示部１０３に出力する。
【００９４】
そして、表示部１０３は、コンテンツ制御部７０５で選択されたコンテンツを表示する（ステップＳ４０）。
【００９５】
ここで、図１４、図１５のデータ構成の一例を用いて、図１２、図１３のフローチャートを説明する。
【００９６】
図１４の乗員解析データ保管部７０２に保管されているデータ構成の一例によれば、時刻１にエレベーターのかご内にいる乗員は、２０代の女性が１人で、表示部１０３を視聴しており、表情は良いと解析されている。また、時刻２にエレベーターのかご内にいる乗員は、４人で、男性２人（３０代、２０代）、女性２人（２０代、６０代）である（表情、視聴の有無については省略）。時刻３にエレベーターのかご内にいる乗員は、男性２人（５０代、６０代）である（表情、視聴の有無については省略）。
【００９７】
図１５のコンテンツ保管部７０４に保管されているデータ構成の一例によれば、コンテンツ保管部７０４には、コンテンツ番号１〜６の６つのコンテンツが保管されている。それぞれのコンテンツには、乗員解析データに対応する乗員の性別、年代、表情、視聴の有無という紐付け情報が含まれている。
【００９８】
コンテンツ番号１には、エレベーターのかご内の乗員に、２０〜３０代の男性がいて、表情が良く、表示部１０３を見ているときに該当するという紐付け情報が含まれている。
コンテンツ番号２は、同様に２０〜３０代の男性のときに該当するという紐付け情報が含まれている。表情や視聴の有無は問わない。
コンテンツ番号１とコンテンツ番号２とは、同じ２０〜３０代の男性向けの広告情報であるが、コンテンツ番号１は、乗員の表情が良く、表示部１０３を見ているときにのみ該当するのに対して、コンテンツ番号２は、乗員の表情や視聴の有無に関係なく該当するという違いがある。
例えば、コンテンツ番号１として、コンテンツ番号２より広告料の高い広告情報を設定することができる。
【００９９】
コンテンツ番号３は、エレベーターのかご内の乗員に、１０〜２０代の女性がいるときに該当するという紐付け情報が含まれている。乗員の表情や視聴の有無は問わない。
例えば、コンテンツ番号３として、化粧品の広告情報を設定することができる。
【０１００】
コンテンツ番号４は、エレベーターのかご内の乗員に、６０代以上の女性がいるときに該当するという紐付け情報が含まれている。乗員の表情や視聴の有無は問わない。
例えば、コンテンツ番号４として、近所のクリニックの広告情報を設定することができる。
【０１０１】
コンテンツ番号５は、エレベーターのかご内の乗員が、表情が悪く、表示部１０３を見ていないときにのみ該当するという紐付け情報が含まれている。乗員の性別、年代は問わない。
例えば、コンテンツ番号５として、ヒーリングミュージックなどの音楽を設定することができる。
【０１０２】
コンテンツ番号６は、エレベーターのかご内の乗員の属性や状況に関係なく該当するという紐付け情報が含まれている。この紐付け情報ゆえに、該当するコンテンツがないという事態は生じえない。
例えば、コンテンツ番号６として、ビルのメンテナンスなどの管理情報を設定することができる。
【０１０３】
以上のようなコンテンツ番号１〜６の内容からすると、１つの乗員解析データに対応して、複数のコンテンツが該当するということが起こり得る。この場合、コンテンツ制御部７０５に、コンテンツ間の優先順位を予めプログラムしておくことで、コンテンツを一つ選択することが可能となる（ステップＳ４０）。このようなコンテンツ間の優先順位は、例えば、広告料などによって決定しても良い。
例えば、コンテンツ番号１は、コンテンツ番号２に優先する、コンテンツ番号６は、他のコンテンツ番号１〜５に劣後するなどを予めコンテンツ制御部７０５にプログラムすることができる。
【０１０４】
次に、図１４、図１５のデータ構成の場合に、図１２、図１３のフローチャートがどのようになるかを説明する。
【０１０５】
図１４の時刻１の時、該当するコンテンツは、コンテンツ番号３、６である。コンテンツ番号３が、コンテンツ番号６に優先すると予めプログラムした場合、コンテンツ制御部７０５は、コンテンツ番号３を選択して表示部１０３に表示する。
【０１０６】
図１４の時刻２の時、該当するコンテンツは、コンテンツ番号１、２、３、４、６である。コンテンツ番号１が、コンテンツ番号２、３、４、６に優先すると予めプログラムした場合、コンテンツ制御部７０５は、コンテンツ番号１を選択して表示部１０３に表示する。
【０１０７】
図１４の時刻３の時、該当するコンテンツは、コンテンツ番号５、６である。コンテンツ番号５が、コンテンツ番号６に優先すると予めプログラムした場合、コンテンツ制御部７０５は、コンテンツ番号５を選択して表示部１０３に表示する。
【０１０８】
図１６は、この発明にかかる実施の形態の表示装置の機能構成の更に別の一例を示すブロック図である。図１０において、情報処理装置１０１は、撮像部１０４と、映像データ保管部７０６と、通信部７０３ａと、コンテンツ保管部７０４と、コンテンツ制御部７０５と、表示部１０３と、を含む構成となっている。
【０１０９】
撮像部１０４で撮像された映像データは、映像データ保管部７０６において保管される。撮像部１０４は、表示部１０３と同一面に設けられているため、かご内を撮影すると、表示部１０３を見ている乗員の顔を撮影することができる（図９を参照）。
【０１１０】
情報処理装置１０１は、通信部７０３ａからダウンロードしたコンテンツをコンテンツ保管部７０４に保管し、コンテンツ制御部７０５が適宜コンテンツを選択して表示部１０３において出力する。この一例においては、映像データを解析した結果をコンテンツ選択に際して利用することはしない。
【０１１１】
以上、図面を参照して実施形態及び実施例について述べたが、これらは本発明の例示であり、上記以外の様々な構成を採用することもできる。
【符号の説明】
【０１１２】
１００  表示装置
１０１  情報処理装置
１０２  支持部材
１０３  表示部
１０４  撮像部
１０５  前面部
１０６  上端部
１０７  壁面接着部
１０８  情報処理装置止め部
２０１  情報処理装置保持部
２０２、４００ｂ、５００ａ  磁石部材
３００ａ、３００ｂ  接着補助部
３０１  蓋部
３０２  表示画面用孔
３０３  撮像部用孔
６０１  ＣＰＵ
６０２  メモリ
６０３  各種センサ
６０４  ＧＰＳ受信器
６０５  カメラ
６０６  ディスプレイ
６０７  スピーカ
６０８  入出力デバイス
６０９  通信インタフェース
６５０  ネットワーク
７０１  映像解析部
７０２  乗員解析データ保管部
７０３ａ、７０３ｂ、７０３ｃ  通信部
７０４  コンテンツ保管部
７０５  コンテンツ制御部
１１００  エレベーターのかご
１１０１  扉
１１０２  操作盤
【図１】
2019199314.tif 000003
【図２】
2019199314.tif 000004
【図３】
2019199314.tif 000005
【図４】
2019199314.tif 000006
【図５】
2019199314.tif 000007
【図６】
2019199314.tif 000008
【図７】
2019199314.tif 000009
【図８】
2019199314.tif 000010
【図９】
2019199314.tif 000011
【図１０】
2019199314.tif 000012
【図１１】
2019199314.tif 000013
【図１２】
2019199314.tif 000014
【図１３】
2019199314.tif 000015
【図１４】
2019199314.tif 000016
【図１５】
2019199314.tif 000017
【図１６】
2019199314.tif 000018